【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
人の腕の身体機能を回復させるためのリハビリ器具であって、
リハビリ者が把持するための把持体と、
垂直方向に伸縮自在に延びる棒状に形成されて上端部側に前記把持体を支持する起立棒と、
前記起立棒の下端部に設けられて同起立棒を揺動可能に支持するボールジョイントと、
前記起立棒の下端部側で水平方向に延びて形成されて前記起立棒を前記ボールジョイントを介して支持する支持ベース体とを備え、
前記起立棒は、
少なくとも１００ｍｍ以上かつ５００ｍｍ以下の範囲で伸縮可能でかつ前記支持ベース体によってのみ支持されており、
前記リハビリ器具の総重量が人が持ち運びできる重さに設定されていることを特徴とするリハビリ器具。
【請求項２】
請求項１に記載したリハビリ器具において、
前記リハビリ器具の総重量が前記リハビリ者が持ち上げることができる重さに設定されていることを特徴とするリハビリ器具。
【請求項３】
請求項１または請求項２に記載したリハビリ器具において、
前記ボールジョイントは、
前記起立棒を揺動させる際の揺動抵抗が調整可能でかつ、任意の傾倒姿勢で傾倒不能な固定状態とすることができることを特徴とするリハビリ器具。
【請求項４】
請求項３に記載したリハビリ器具において、
前記ボールジョイントにおける前記揺動抵抗を手動操作によって調節するためのハンドル部が前記ボールジョイントに対して着脱自在に設けられていることを特徴とするリハビリ器具。
【請求項５】
請求項１ないし請求項４のうちのいずれか１つに記載したリハビリ器具において、
前記支持ベース体は、
前記水平方向に伸縮自在に延びる少なくとも３つの棒状の足体を備えることを特徴とするリハビリ器具。
【請求項６】
請求項１ないし請求項５のうちのいずれか１つに記載したリハビリ器具において、
前記支持ベース体は、
水平で少なくとも人の足先を載せることができる大きさおよび剛性を有した平面部を有することを特徴とするリハビリ器具。
【請求項７】
請求項１ないし請求項６のうちのいずれか１つに記載したリハビリ器具において、
前記把持体は、
人が握ることができる長さで垂直方向に延びる棒体からなる本体部と、
前記本体部の上端部に設けられて人が手の平を置くことができる大きさの板状に形成された先端部把持体と、
前記本体部の下端部に設けられて同本体部からフランジ状に張り出す受け部とを備えることを特徴とするリハビリ器具。
【手続補正２】
【補正対象書類名】明細書
【補正対象項目名】発明の名称
【補正方法】変更
【補正の内容】
【発明の名称】リハビリ器具
【手続補正３】
【補正対象書類名】明細書
【補正対象項目名】０００５
【補正方法】変更
【補正の内容】
【０００５】
本発明は上記問題に対処するためなされたもので、その目的は、リハビリを気軽にかつ簡便に行うことができるリハビリ器具を提供することにある。
【手続補正４】
【補正対象書類名】明細書
【補正対象項目名】０００６
【補正方法】変更
【補正の内容】
【０００６】
上記目的を達成するため、本発明の特徴は、人の腕の身体機能を回復させるためのリハビリ器具であって、リハビリ者が把持するための把持体と、垂直方向に伸縮自在に延びる棒状に形成されて上端部側に把持体を支持する起立棒と、起立棒の下端部に設けられて同起立棒を揺動可能に支持するボールジョイントと、起立棒の下端部側で水平方向に延びて形成されて起立棒を前記ボールジョイントを介して支持する支持ベース体とを備え、起立棒は、少なくとも１００ｍｍ以上かつ５００ｍｍ以下の範囲で伸縮可能でかつ支持ベース体によってのみ支持されており、リハビリ器具の総重量が人が持ち運びできる重さに設定されていることにある。この場合、リハビリ器具の総重量である人が持ち運びできる重さとは、概ね１０ｋｇ以下であるが、好ましくは１ｋｇ以上かつ５ｋｇ以下、より好ましくは１ｋｇ以上かつ３ｋｇ以下である。
【手続補正５】
【補正対象書類名】明細書
【補正対象項目名】０００７
【補正方法】変更
【補正の内容】
【０００７】
このように構成した本発明の特徴によれば、リハビリ器具は、把持体を揺動可能に支持する起立棒が伸縮自在に構成されるとともにこの起立棒の下端部側に配置された支持ベース体にのみに支持されてかつ器具全体が人が持ち運びできる重量に構成されているため、リハビリを行いたい場所に手軽に持ち運んで僅かなスペースに配置できかつ起立棒を配置場所やリハビリ内容に応じた長さに調整して使用することができる。これにより、本発明に係るリハビリ器具は、リハビリを気軽にかつ簡便に行うことができる。また、リハビリ器具は、起立棒を短く縮ませることで僅かなスペースでも保管することができるため、リハビリ器具の設置と収納が容易となってリハビリを行う心理的および物理的な敷居を低くして継続的なリハビリを行うことができる。また、リハビリ器具は、リハビリ器具自体を持ち上げることによるリハビリを行なわせることもできる。
【手続補正６】
【補正対象書類名】明細書
【補正対象項目名】０００８
【補正方法】変更
【補正の内容】
【０００８】
また、本発明の他の特徴は、前記リハビリ器具において、リハビリ器具の総重量がリハビリ者が持ち上げることができる重さに設定されていることにある。これにより、リハビリ器具は、リハビリ器具自体を持ち上げることによるリハビリを行なわせることもできる。
【手続補正７】
【補正対象書類名】明細書
【補正対象項目名】０００９
【補正方法】変更
【補正の内容】
【０００９】
また、本発明の他の特徴は、前記リハビリ器具において、ボールジョイントは、起立棒を揺動させる際の揺動抵抗が調整可能でかつ、任意の傾倒姿勢で傾倒不能な固定状態とすることができることにある。このように構成した本発明の他の特徴によれば、リハビリ器具は、ボールジョイントが起立棒を揺動させる際の揺動抵抗が調整可能であるため、リハビリ負荷を調整することで身体の状態に応じたリハビリを行うことができる。
【手続補正８】
【補正対象書類名】明細書
【補正対象項目名】００１０
【補正方法】変更
【補正の内容】
【００１０】
また、本発明の他の特徴は、前記リハビリ器具において、ボールジョイントにおける揺動抵抗を手動操作によって調節するためのハンドル部がボールジョイントに対して着脱自在に設けられていることにある。これによれば、リハビリ器具は、他者によって起立棒の傾倒硬さが勝手に変更されることを防止することができる。
【手続補正９】
【補正対象書類名】明細書
【補正対象項目名】００１１
【補正方法】変更
【補正の内容】
【００１１】
また、本発明の他の特徴は、前記リハビリ器具において、支持ベース体は、水平方向に伸縮自在に延びる少なくとも３つの棒状の足体を備えることにある。このように構成した本発明の他の特徴によれば、リハビリ器具は、支持ベース体が水平方向に伸縮自在に延びる少なくとも３つの棒状の足体を備えているため、設置面の状況（例えば、障害物の位置）に合せて足体を伸縮させることにより安定的にリハビリ器具を設置することができる。
【手続補正１０】
【補正対象書類名】明細書
【補正対象項目名】００１２
【補正方法】変更
【補正の内容】
【００１２】
また、本発明の他の特徴は、前記リハビリ器具において、支持ベース体は、水平で少なくとも人の足先を載せることができる大きさおよび剛性を有した平面部を有することにある。
【手続補正１１】
【補正対象書類名】明細書
【補正対象項目名】００１３
【補正方法】変更
【補正の内容】
【００１３】
このように構成した本発明の他の特徴によれば、リハビリ器具は、支持ベース体が水平で少なくとも人の足先を載せることができる大きさおよび剛性をそれぞれ有する平面部を有しているため、この平面部に足や物を載せることで起立棒を傾倒させるリハビリ時においてリハビリ器具をより安定させることができる。
【手続補正１２】
【補正対象書類名】明細書
【補正対象項目名】００１４
【補正方法】変更
【補正の内容】
【００１４】
また、本発明の他の特徴は、前記リハビリ器具において、把持体は、人が握ることができる長さで垂直方向に延びる棒体からなる本体部と、本体部の上端部に設けられて人が手の平を置くことができる大きさの板状に形成された先端部把持体と、本体部の下端部に設けられて同本体部からフランジ状に張り出す受け部とを備えることにある。
【手続補正１３】
【補正対象書類名】明細書
【補正対象項目名】００１５
【補正方法】変更
【補正の内容】
【００１５】
このように構成した本発明の他の特徴によれば、リハビリ器具は、把持体が垂直方向に棒状に延びる本体部の上側端部に人の手の平を置くことができる大きさの板状の先端部把持体を有するとともに、本体部の下端部にフランジ状に張り出す受け部を有するため、使用者は把持体を握ったり、掴んだり、または載せたりして把持体を把持することができるとともに、受け部によって本体部を安定的に把持することができる。